(57)【要約】      （修正有）【課題】３６０度型歯ブラシの製造コストを軽減し、良品を量産できる構造を実現する。【解決手段】ブラシ部分の形状を球体とし、全方向にブラシ部を施けるため、ディスク形ブラシ素子１の約５倍の毛量を有するブラシ素子１を製造し、網状成形品に押し付け装着することで半球形状のブラシが完成する。この半球形状のブラシを二連し中央付近に施けたヒンジ部分から折り曲げ、フレーム部の数ヵ所を超音波溶着固定することで、球状のブラシ部が完成する。この球状のブラシ部をハンドル部２に装着する。【選択図】図２
2019198614.tif 000002
【特許請求の範囲】
【請求項１】
棒状ハンドルの片側先端部分に網目形状で湾曲した球体部分を有し、その網目部分に一方端を溶着固定した糸束円筒を差し込み、押えることで半球形状に開らいた糸束を固定することを特徴とする溶着歯ブラシ。
【請求項２】
棒状ハンドルの片側先端部分に網目形状で湾曲した球体部分を二連し、その網目部分に一方端を溶着固定した糸束円筒を二個差し込み、網目部分中央に位置するヒンジ部分より折り曲げ球形状に開らいた糸束を固定することを特徴とする溶着歯ブラシ。
【請求項３】
指に先し込む指サック形状の成形品の先端側面部付近に網目形状で湾曲した球体部分を有し、その網目部分に一方端を溶着固定した糸束円筒を差し込み、押えることで半球形状に開らいた糸束を固定することを特徴とする溶着歯ブラシ。
【請求項４】
棒状ハンドルの片側先端部分に網目形状で湾曲した球体部分を二連した成形品を製造する工程と、その成形品の網目部分に一方端を溶着固定した糸束円筒を差し込み開らく工程と、網目部分中央に位置するヒンジ部分より折り曲げ球形状に開らく工程と、その開らいた糸束を固定することを特徴とする溶着歯ブラシの製造方法。
【発明の詳細な説明】
【技術分野】
【０００１】本発明は、球形歯ブラシと、その製造方法に関する。
【背景技術】
【０００２】市販される歯ブラシの大半が、樹脂製のブラシ用糸束を二つ折りした後、ブラシ台座に空けられた小孔に差し込み、金属（真鍮）の小片を打ち込むことでブラシ用糸束を固定した植え込み歯ブラシであり、一世紀以上もこの製造方法に構造変化はない。【０００３】極一部ではあるが、樹脂製のブラシ用糸束を溶解固定した商品や、ブラシ台座まで溶解により製造した商品も海外には存在する。【０００４】又、本発明者が十数年前に発明した３６０度型（円筒形）歯ブラシも現在市販されている。この構造を説明すると、ハンドル先端部に位置するブラシ差し込み凸部に極薄形状のディスク形ブラシ素子（厚さ０．４５ｍｍ）を２枚差し込み、次に、ブラシ密度を下げ口当りをソフトにすることと、空間を作り雑菌の繁殖を軽減する目的からスペーサー入れ、この作業を規則性を持ち９回程度繰返した後、ブラシ差し込み凸部先端を溶解し潰す（カシメ）ことで完成し商品となる。【０００５】
【特許文献１】特許登録３６４６１１８号公報
【発明者が解決しようとする課題】
【０００６】現在市販される３６０度型歯ブラシにおいては、ブラシ部を製造するために極薄形状のディスク形ブラシ素子を９列製造する必要が生じ、合計１８枚のディスク形ブラシ素子に加え、ブラシ間に入れるスペサーも８枚必要となる（図１参照）。これを合計した２６点の部品が必要で、組立て及び検査作業にも多数の人員を要し、量産が不可能なことと、コスト高解消を第一の課題とした。
【０００７】第二の課題は、３６０度型歯ブラシ構造においては不可能な、先端部分にもブラシ糸束を有する形状とすることと、ブラシ丈の長さが従来品の５ｍｍより長い７ｍｍを実現することを、課題とした。
【課題を解決するための手段】
【０００８】図３に示すようなブラシ素子１（一個体の場合もある）を製造する。このブラシ素子１の毛量は、従来の４〜７倍程度とし片側先端部分を溶着して製造する。このブラシ素子１を図５で示す網状成形品６に差し込み、半球形状に開かせる。この半球形状を二連した後、中央ヒンジ部分から折り曲げ円周部（フレーム部）を超音波溶着等で固定することにより、図２のような球形歯ブラシが完成する。
【発明の効果】
【０００９】この製造方法で製造された溶着歯ブラシは球形状で、従来の３６０度型歯ブラシとは異なり、先端部分にもブラシ部分を有する理想型状である。
【００１０】ブラシ部の部品点数においても、市販される従来市販品における２６点から、１〜２点で済むこととなり、製造、検査業務に係かるコストの大削減から販売価格の低減と、量産ができた。
【００１１】ブラシ部糸束本数も、直径０．０９ｍｍのナイロン樹脂製を使用した場合、従来品においては極薄形状（厚さ０．４５ｍｍ）のディスク形ブラシ素子で約８００本使用し、１８枚のブラシ使用により合計約１４、４００本の糸を使用することとなる。この量は理想的な糸束量約８、０００本と比較すると多量である。ブラシ糸束とは、糸束径＝糸束数＝糸束丈＝糸吏物性により決定され、糸束丈を７ｍｍとした場合、上記数値となる。全て、人間工学及び物理学により導かれた数値である。
【発明を実施するための最良の形態】
【００１２】以下、本発明を実施するための最良の形態を図をもって説明する。【００１３】図１は、市販される３６０度型歯ブラシの形状を示すもので、ディスク形ブラシ素子７をハンドル部２とハンドルネック部３の先端部に位置するブラシ差し込み凸部に、極薄形状のディスク形ブラシ素子７を２枚（１枚ではディスク形ブラシ素子７が薄すぎ耐久性に問題あり）を差し込み、次に、スペーサー５を入れる作業工程を燥返し（９回）た後、ブラシ差し込み凸部先端に位置するブラシ止め溶着部４を溶着固定（カシメ）する。次に、ブラシ形状を整えるため、カット及びディスク形ブラシ素子７先端部を「ダラシ」滑めらかに処理して完成となる。【００１４】図２は、本発明による球形歯ブラシの形状であって、ハンドル部２とハンドルネック部３の先端部に位置するブラシ素子１は、１〜２点のブラシ素子１から成り立ち、その形状は３６０度型歯ブラシとは異なる、球形状となり先端部にもブラシを有する。【００１５】この球形歯ブラシを製造する方法を、３〜６の図を基に説明する。図３はブラシ素子１の原形を示し、一方端が溶着固定されたブラシ素子溶着部１Ａとなっている。このブラシ素子１はブラシ素子溶着部１Ａ中央部分にて連結する形状となっており１個体となっている。このブラシ素子溶着部１Ａを中央部付近で折り曲げ直線状態にしたものが図４である。【００１６】このブラシ素子１を差し込み各ブラシ素子１を半球形状にする部分が、網状成形品６であり、メガネ同様に外周部にフレーム部８を有し、両端に半球形状の網状成形品差し込み部６Ａがある。この網目に差し込まれたブラシ素子１は半球形状に開き、これを図６に示す矢印方向に移動することで球形状のブラシが完成する。この両端に位置する網状成形品差し込み部６Ａ（半円形状を合わせ円筒形状へ）を、ハンドル部２又はハンドルネック部３に差し込み固定して、図２に示す球形歯ブラシが完成する。【００１７】図５に示した網状成形品６と、ハンドル部２を同一の成形品とすることも考えられ、部品点数を減少させる（ブラシ素子１とハンドル部２の２点）こともできる。ブラシ素子１においても、網状成形品６に対する差し込み易さだけを追求した場合、連結する形状ではなく、１個体となる（部品点数は１個増加する）。【００１８】又、網状成形品６における網目部分は、網戸又は金属性ザルなどの形状（繊維同様にタテ糸とヨコ糸をもって網んだもの）が理想であるが強度不足のため、樹脂成形品により「より近い形状」を実現した。それに加え、ブラシ素子１の差し込み部分は半球形状の凹型である必要があり、内面を滑めらか（表面処理も含む）に整えることで、美しい半球形状にブラシ素子を開くことが可能である。【００１９】そして、もう一つの重要点は、ブラシ素子１の形状をラッパ状（円錐形状）にする必要がある。この形状にするためには超音波微振動によるブラシ素子１の正確な整列と、ラッパ形状（ブラシ素子１の自由運動のため）の金型を組み合わせる製造方法で容易に実現できる。【００２０】最終工程として、網状成形品６の外周に位置するフレーム部８を合わせ超音波溶着で固定することで完成品となる。【００２１】このブラシ素子１を利用することで、図７及び図８に示す形状の歯ブラシを製造することができる。図７に示す指サック部９を有し、指１０に差し込んで使用する本格的な歯ブラシは、植込み歯ブラシを製造する感性では台座部分の厚さ（約５ｍｍ）がネックとなり製造は難かしい。そのため、柔かい素材であるシリコンゴム、エラストマ（熱可塑性ゴム）を原料とする成形品のみが市販され、ブラシ糸束を利用したものは空論であったため、ブラシ成形部の直径が０．５ｍｍ以上と太くなり清掃力は大きく低下する。しかし、本発明におけるブラシ素子１は溶着品であり、台座部分の厚さは自由にコントロールでき、最低の厚さは約０．５ｍｍまで落すことが可能であるため、サック部９に装着し半球形状に開らいた後、指１０に装着しても違和感はなく使用できる。【００２２】このブラシ素子１を半球形状に開らいた後、ハンドルネック部３の先端付近に装着することで図８の溶着歯ブラシは容易に完成する。この発明の歯ブラシは全、溶着歯ブラシであるため、ブラシ毛の脱落はなく、台座部分の厚さを極薄にすることもできる。これらの歯ブラシは実用できることで、「正真正銘の世界初」と言える。【００２３】このブラシ素子１を利用することで、人間が使用する歯ブラシだけでなく、ペット用としても利用できる。
【図面の簡単な説明】
【００２４】
【図１】本発明者が発明し、市販されている３６０度型歯ブラシの正面図。
【図２】本発明の球形歯ブラシの全体形状を示す正面図。
【図３】本発明の球形歯ブラシ、ブラシ素子の形状を示す斜射図。
【図４】球形歯ブラシ、ブラシ素子を直線状態にした形状を示す正面図。
【図５】球形歯ブラシ、ブラシ素子を差し込み半球形状に開らくための網状成形品の平面図。
【図６】球形状態に開らく途中のブラシ素子の形状を示す正面図。
【図７】指サックにブラシ素子を装着し半球状に開らく形状を示した図。
【図８】従来の歯ブラシハドル部にブラシ素子を装着し半球状に開らく形状を示した図。
【符合の説明】
【００２５】１．  ブラシ素子
１Ａ．ブラシ素子溶着部。
２．  ハンドル部。
３．  ハンドルネック部
４．  ブラシ止め溶着部。
５．  スペーサ。
６．  網状成形品。
６Ａ．網状成形品差し込み部。
７．  ディスク形ブラシ素子。
８．  フレーム部。
９．  指サック部。
１０．指。
【図１】
2019198614.tif 000003
【図２】
2019198614.tif 000004
【図３】
2019198614.tif 000005
【図４】
2019198614.tif 000006
【図５】
2019198614.tif 000007
【図６】
2019198614.tif 000008
【図７】
2019198614.tif 000009
【図８】
2019198614.tif 000010